(57)【特許請求の範囲】
【請求項１】
平面矩形枠状のフレームと、このフレームに固定された水勾配を有する板状のスラブ部材と、このスラブ部材の下流側に設けられた排水桝とを備えた陸屋根ユニットであって、
前記スラブ部材の下面側は前記フレームの上面よりも下方に位置し、かつ前記排水枡は陸屋根のパラペットに近接した前記フレームの一枠材に沿って設けられ、この枠材の側面にはフレーム内の前記排水枡と当該フレームの外部とを連通させる開口部が設けられていることを特徴とする陸屋根ユニット。
【請求項２】
請求項１に記載の陸屋根ユニットにおいて、前記スラブ部材はオートクレーブ養生された軽量気泡コンクリート製であることを特徴とする陸屋根ユニット。
【請求項３】
請求項１または請求項２に記載の陸屋根ユニットにおいて、前記フレームの内周側には前記スラブ部材の下面を支持するブラケットが設けられていることを特徴とする陸屋根ユニット。
【請求項４】
複数の平面矩形状の陸屋根ユニットで構成されるユニット式の陸屋根構造であって、
前記各陸屋根ユニットは、枠状のフレームと、このフレームに固定された水勾配を有する板状のスラブ部材とを備えているとともに、このスラブ部材の下面側は前記フレームの上面よりも下方に位置し、
水勾配の最下流側に配置される陸屋根ユニットは、前記スラブ部材の下流側に設けられた排水桝を備え、前記排水枡は陸屋根のパラペットに近接した前記フレームの一枠材に沿って設けられ、この枠材の側面にはフレーム内の前記排水枡と当該フレームの外部とを連通させる開口部が設けられ、
前記パラペットには前記フレームの開口部に対応した貫通孔が設けられ、この貫通孔および開口部内には、前記排水枡内の排水を前記パラペットの外部に設けられた縦樋に導く横樋が配置されていることを特徴とする陸屋根構造。
【請求項５】
請求項４に記載の陸屋根構造において、隣接し合う陸屋根ユニットの間には隙間閉塞部材が設けられ、この隙間閉塞部材は、各陸屋根ユニットの対向面に高さ位置調整自在に取り付けられた支持部材と、これらの支持部材の上部に架設支持された面材とで構成されていることを特徴とする陸屋根構造。
【請求項６】
請求項４または請求項５に記載の陸屋根構造において、いずれかの陸屋根ユニットの上流側にはペントハウスが設けられ、このペントハウスの前記陸屋根ユニット側の外壁には窓用開口が設けられ、この窓用開口と前記陸屋根ユニットとの間が前記外壁の一部を形成する立上部になっていることを特徴とする陸屋根構造。
【発明の詳細な説明】
【０００１】
【発明の属する技術分野】
本発明は、陸屋根ユニットおよび陸屋根構造に係り、特に、ユニット式建物の屋根部分を形成する陸屋根ユニット、および複数の陸屋根ユニットで構成された陸屋根の排水部分の構造に関する。
【０００２】
【背景技術】
従来より、ユニット式建物の屋根として陸屋根（フラット屋根）を設ける場合がある（特開平１１−３２４２４２号公報）。このような陸屋根は、建物ユニットで構成されるユニット式建物の本体上に陸屋根（フラット屋根）ユニットを複数載置して形成され、建物の屋上として利用できるように歩行可能に設けられることが多い。
陸屋根ユニットは通常、平面矩形枠状のフレームと、このフレームの上部に固定された水勾配を有する板状のスラブ部材とを備えており、各スラブ部材の上面を連続させることで屋根面全体に１／９０程度の水勾配が付与される。また、水勾配の最下流に配置される陸屋根ユニットには、フレーム上に排水枡（排水溝）が設けられ、排水枡に集約された雨水等が陸屋根のパラペットを水平に貫通する横樋に流れ込み、さらに、これに連結された外部の縦樋を通して下方に排水される。
【０００３】
【発明が解決しようとする課題】
ところで、陸屋根のデザインによっては、パラペットをできるだけ低くしたいという要望がある。
しかし、パラペットを低くすると、スラブ部材で形成される屋根面や排水枡からパラペット上端までの所定の高さ寸法を確保できないという問題がある。
さらに、パラペットを低くする分、排水性を考慮して排水枡もより深くする必要があるが、排水枡を深くすると、排水枡がフレーム内に落とし込まれる構造になるため、フレームに邪魔されて横樋を配置することができず、排水構造が複雑になる。
【０００４】
また、大きな陸屋根を形成し、水勾配の上流側にペントハウスを設ける場合があり、ペントハウスの陸屋根側の外壁には陸屋根との出入りを行うサッシ窓が取り付けられる。
しかし、陸屋根が大きくなると、水勾配の関係で上流側の屋根面が高くなるから、屋根面とサッシ窓との間の高さ寸法が小さくなり、より複雑な防水構造が要求される。
そして、屋根面が高くなることにより、ペントハウス内の床面と屋根面との段差も大きくなるため、またぎが高くなって出入りを容易に行えないという問題もある。
【０００５】
そこで、スラブ部材の厚みを薄くすることにより、屋根面からパラペット上端までの高さ寸法を維持しつつ、パラペット自身を低くしたり、屋根面からサッシ窓までの高さ寸法を大きくしたり、屋根面とペントハウス内の床面との高さ寸法の差を小さくすることも考えられるが、このような場合には、スラブ部材の強度が低下するので限界があり、十分に対応することは困難である。
さらに、パラペットを低くすることはできても、排水枡で生じる前述した排水構造の複雑化を避けることはできない。
【０００６】
本発明の第１の目的は、スラブ部材の強度を確保しつつ、パラペットを低くでき、かつ排水構造を簡単にできる陸屋根ユニットおよび陸屋根構造を提供することにある。
本発明の第２の目的は、第１の目的に加え、大きな陸屋根を形成した場合でも、水勾配の上流側での陸屋根の高さを小さくでき、ペントハウスと陸屋根との境界部分での防水構造の簡略化、およびそれらの間の往来の容易化を実現できる陸屋根構造を提供することにある。
【０００７】
【課題を解決するための手段】
請求項１の発明は、後述する実施形態での符号を用いて説明すれば、平面矩形枠状のフレーム（２３）と、このフレームに固定された水勾配（Ｅ）を有する板状のスラブ部材（２８）と、このスラブ部材の下流側に設けられた排水桝（３２）とを備えた陸屋根ユニット（２０Ａ）であって、前記スラブ部材の下面側は前記フレームの上面よりも下方に位置し、かつ前記排水枡は陸屋根のパラペット（５）に近接した前記フレームの一枠材（２１）に沿って設けられ、この枠材の側面にはフレーム内の前記排水枡と当該フレームの外部とを連通させる開口部（２１Ａ）が設けられていることを特徴とする陸屋根ユニットである。
【０００８】
このような構成では、スラブ部材の下面側をフレームの上面よりも下方に位置させるから、スラブ部材自身の厚みを薄くしなくともスラブ部材の上面（屋根面）の高さ位置が低くなり、その分パラペットの高さも低く設定可能である。この際、排水枡もフレーム内に位置するが、パラペットと排水枡との間に介在するフレームの枠材に開口部を設けるので、この開口を貫通させて従来通り横樋を配置すれば、排水構造の複雑化が避けられる。以上により、前記第１の目的が達成される。
【０００９】
請求項２の発明は、請求項１に記載の陸屋根ユニットにおいて、前記スラブ部材はオートクレーブ養生された軽量気泡コンクリート（ＡＬＣ）製であることを特徴とする陸屋根ユニットであり、このような構成では、陸屋根ユニットの軽量化が図られる。
【００１０】
請求項３の発明は、請求項１または請求項２に記載の陸屋根ユニットにおいて、前記フレームの内周側には前記スラブ部材の下面（２８Ｂ）を支持するブラケット（２７）が設けられていることを特徴とする陸屋根ユニットであり、このような構成では、スラブ部材がフレームの上方から内部に落とし込まれることで容易に配置される。
【００１１】
請求項４の発明は、複数の平面矩形状の陸屋根ユニットで構成されるユニット式の陸屋根構造であって、前記各陸屋根ユニットは、枠状のフレームと、このフレームに固定された水勾配を有する板状のスラブ部材とを備えているとともに、このスラブ部材の下面側は前記フレームの上面よりも下方に位置し、水勾配の最下流側に配置される陸屋根ユニットは、前記スラブ部材の下流側に設けられた排水桝を備え、前記排水枡は陸屋根のパラペットに近接した前記フレームの一枠材に沿って設けられ、この枠材の側面にはフレーム内の前記排水枡と当該フレームの外部とを連通させる開口部が設けられ、前記パラペットには前記フレームの開口部に対応した貫通孔（５１Ａ）が設けられ、この貫通孔および開口部内には、前記排水枡内の排水を前記パラペットの外部に設けられた縦樋（３７）に導く横樋（３６）が配置されていることを特徴とする陸屋根構造である。
このような構成では、請求項１記載の陸屋根ユニットを用いて陸屋根が構成されるから、前述した作用効果を同様に得ることができ、本発明の第１の目的が達成される。
【００１２】
請求項５の発明は、請求項４に記載の陸屋根構造において、隣接し合う陸屋根ユニットの間には隙間閉塞部材（６０）が設けられ、この隙間閉塞部材は、各陸屋根ユニットの対向面に高さ位置調整自在に取り付けられた支持部材（６１）と、これらの支持部材の上部に架設支持された面材（６２）とで構成されていることを特徴とする陸屋根構造である。
このような構成では、支持部材の高さ位置を調整することにより、面材の上面と各ユニットのスラブ部材の上面とが確実に面一とされ、不陸のないフラットな屋根面が形成される。
【００１３】
請求項６の発明は、請求項４または請求項５に記載の陸屋根構造において、いずれかの陸屋根ユニットの上流側にはペントハウス（４）が設けられ、このペントハウスの前記陸屋根ユニット側の外壁（４２）には窓用開口（４３）が設けられ、この窓用開口と前記陸屋根ユニットとの間が前記外壁の一部を形成する立上部（４４）になっていることを特徴とする陸屋根構造である。
このような構成では、屋根面が比較的大きな場合でも、前述したように、スラブ部材の下面がフレームの上面よりも下方に位置し、スラブ部材の高さ位置が低いので、その分立上部の高さ寸法が大きくなり、陸屋根とペントハウスとの境界部分での防水性能が向上する。また、スラブ部材の高さ位置が低いことで、ペントハウス内の床面（４Ａ）との段差が小さくなるため、またぎが低くなって出入りが容易になる。以上により、本発明の第２の目的が達成される。
【００１４】
【発明の実施の形態】
以下、本発明の一実施形態を図面に基づいて説明する。
図１は、本実施形態に係る陸屋根ユニット２０を用いて建てられたユニット式建物１を示す斜視図、図２は、図１のII−II線断面図である。
図１、図２において、ユニット式建物１は、複数の建物ユニット１０を水平方向および鉛直方向に配置して構成された建物本体２と、建物本体２上に複数の陸屋根ユニット２０を配置して構成された陸屋根３とを備えている。陸屋根３上の一部にはペントハウス４が設けられ、このペントハウス４を除く陸屋根３の外周縁にはパラペット５が設けられている。
【００１５】
このうち陸屋根３は、ペントハウス４の北側に設けられた狭い北側部３Ａと、南側に設けられた広い南側部３Ｂとを有し、南側部３Ｂが歩行可能とされ、また、ペントハウス４から離れるに従って下る水勾配Ｅ（矢印参照）を有している。
ペントハウス４は、陸屋根ユニット２０上に立設された束４１や、束４１間に架設される図示しない梁等により鉄骨軸組み工法で建てられており、ペントハウス４の南側の外壁４２にはサッシ窓４３用の窓枠４３Ａが設けられ、サッシ窓４３と陸屋根３の屋根面との間が外壁４２の一部を形成する立上部４４になっている。そして、サッシ窓４３を開けてペントハウス４内の床面４Ａから立上部４４越えて陸屋根３に出ることが可能である。
パラペット５は、陸屋根ユニット２０の外周に立設されたＡＬＣ製の外壁パネル５１が主な構成部材である。
【００１６】
建物ユニット１０は、図３に示すように、四隅に立設された四本の柱１１と、各柱１１の上端間を連結する上梁１２と、下端間を連結する下梁１３とからなる直方体状のフレーム１４を有し、このフレーム１４には、図示しない天井小梁、天井面材、根太、床面材、内外壁部材等が設けられるようになっている。柱１１は中空の角形鋼材からなり、梁１２，１３は内側に開口した溝形鋼材からなる。
【００１７】
陸屋根ユニット２０としては、建物ユニット１０の短辺方向に沿って概ね四種類用いられている。
以下に、図１、図２中で南側部３Ｂを形成する最下流側（水勾配Ｅにおける最下流側）の陸屋根ユニット２０Ａを代表して説明する。
この陸屋根ユニット２０Ａは、図４に示すように、一対の長枠材２１と一対の短枠材２２とを四周枠組みして構成された平面矩形の下地フレーム２３を有し、この下地フレーム２３には、長枠材２１と平行で、かつパラペット５に寄った位置に中間枠材２４が架設されている。各枠材２１，２２，２４は、建物ユニット１０の梁１２，１３と同じく溝形鋼材からなり、その開口側が補強材２５で閉じられて閉断面を有している。
【００１８】
中間枠材２４と、これに対して離間した一方の長枠材２１と、各短枠材２２とで形成される大きな矩形状開口部２６内において、その内周面を形成する中間枠材２４および長枠材２１の各補強材２５には適宜な位置にブラケット２７が溶接等によって取り付けられており、このブラケット２７の支持面２７ＡにＡＬＣ製の板状のスラブ部材２８が載置されている。
【００１９】
この際、支持面２７Ａは下地フレーム２３の上面２３Ａよりも下方に位置している。従って、スラブ部材２８は、上面２８Ａがフレーム２３の上面２３Ａよりも上方に位置するが、下面２８Ｂがフレーム２３の上面２３Ａの下方に位置し、この下面２８Ｂ側が矩形状開口部２６内に落とし込まれた状態で保持される。なお、図４に示すように、必要に応じて補強材２５間に根太材２９を架設し、スラブ部材２８の下面２８Ｂをより確実に支持させてもよい。
【００２０】
また、スラブ部材２８は、全体の厚みが略均一とされ、下流側のブラケット２７よりも上流側のブラケット２７の高さ寸法を大きく設けることにより、傾斜した状態で各ブラケット２７に支持され、これによって上面２８Ａに水勾配Ｅが付与さるようになっている。
【００２１】
中間枠材２４と、これに対して近接した他方の長枠材２１と、各短枠材２２とで形成される小さな矩形状開口部３１内には排水枡３２が設けられている。
排水枡３２は底面材３３を有する有底溝状であり、屋根面を伝って流れ下ってきた雨水等は上面材３４およびパラペット５間の開口３５から排水枡３２内に落ちるようになっている。
【００２２】
排水枡３２を形成する長枠材２１および補強材２５には、これらの外部と排水枡３２内とを連通させる丸形開口部２１Ａ，２５Ａが設けられている。
一方、長枠材２１に固定されたパラペット５の外壁パネル５１にも、前記丸形開口部２１Ａ，２５Ａに対応した位置に水平な貫通孔５１Ａが設けられている。
この貫通孔５１Ａおよび丸形開口部２１Ａ，２５Ａ内には、内端が排水枡３２に連結される横樋３６が配置されている。横樋３６の外端にはエルボーを介して縦樋３７が連結され、排水枡３２内の雨水等が横樋３６から縦樋３７を通って下方に排水されるようになっている。
【００２３】
他の陸屋根ユニット２０Ｂ，２０Ｃ，２０Ｄ（図１、図２）は、陸屋根ユニット２０Ａと同様な下地フレーム２３を有しており、この下地フレーム２３を基本として、必要に応じて矩形状開口部２６内に大きなスラブ部材２８が落とし込まれたり、束４１を立設してペントハウス４が設けられたり、陸屋根３の北側部３Ａが形成されている。
【００２４】
最下流側の陸屋根ユニット２０Ａとこの上流側の陸屋根ユニット２０Ｂとの間は、隙間閉塞部材６０（図２）で閉塞されている。
隙間閉塞部材６０は、ユニット２０Ａ，２０Ｂの各下地フレーム２３の対向面に取り付けられた一対の支持部材６１と、これらの上部に載置固定された面材６２とで構成されている。支持部材６１は、下地フレーム２３の長枠材２１に沿った長尺部材であり、図５に示すように、鉛直方向に長い複数の長孔６１Ａを備え、これらの長孔６１Ａに挿通されるボルト６３で長枠材２１に固定されている。
【００２５】
各支持部材６１を固定するにあたっては、水勾配Ｅを考慮して、上流側の支持部材６１および下流側の支持部材６１の互いの高さ位置を異ならせる必要がある。すなわち、図２での各支持部材６１では、後に載置される面材６２の上面６２Ａと各ユニット２０Ａ，２０Ｂのスラブ部材２８の上面２８Ａとが面一となるように、長孔６１Ａを利用してそれぞれの鉛直方向の位置決めが行われる。
【００２６】
なお、図示をしないが、桁方向に隣接する陸屋根ユニット２０間にも同様な隙間閉塞部材６０が設けられており、支持部材６１毎に上流側と下流側とで長孔６１Ａに対するボルト６３位置を異ならせることにより、支持部材６１を水勾配Ｅに応じて傾斜させるとともに、桁方向に隣接するスラブ部材２８と面材６２との面合わせを行うことが可能である。
また、このようなスラブ部材２８および面材６２上には連続した防水シートが敷設され、屋根面全体の防水処理が施される。
【００２７】
このような本実施形態によれば、以下のような効果がある。
（１）パラペット５を形成している陸屋根ユニット２０Ａ，２０Ｂ，２０Ｄにおいては、スラブ部材２８の下面２８Ｂ側が下地フレーム２３の矩形状開口部２６内に落とし込まれており、スラブ部材２８の下面２８Ｂが下地フレーム２３の上面２３Ａよりも下方に位置しているので、この分屋根面（スラブ部材２８の上面２８Ａ）の位置を低くでき、ひいては屋根面からのパラペット５の高さ寸法Ｈ１（図１）を維持しながらパラペット５の高さ寸法Ｈ２（図１）を小さくでき、建物１の外観上の意匠性を向上させることができる。
【００２８】
（２）この際、屋根面の高さ位置はスラブ部材２８の厚みを薄くすることで低くなっているのではないから、スラブ部材２８の厚みを従来通りに維持でき、屋根面の強度を確実に確保できる。
【００２９】
（３）特に、水勾配Ｅの最下流側に配置された陸屋根ユニット２０Ａでは、パラペット５の高さ寸法Ｈ２が小さくなった分だけ、排水枡３２がフレーム２３内に落とし込まれた状態に設けられているが、このような排水枡３２側の長枠材２１および補強材２５には丸形開口部２１Ａ，２５Ａが設けられ、これらの丸形開口部２１Ａ，２５Ａには排水枡３２に連結された横樋３６が設けられているので、排水枡３２内の雨水等を長枠材２１や補強材２５に邪魔されることなく建物の外側に簡易な構造で導き出すことができ、縦樋３７を通して下方に確実に排水できる。
【００３０】
（４）一方、陸屋根ユニット２０Ｂの上流側にはペントハウス４の立上部４４が設けられているが、スラブ部材２８の下方への落とし込みによって屋根面が低くなっているので、屋根面が南側部３Ｂのように大きな場合でも、この立上部４４の高さ寸法Ｈ３（図１）を十分に大きくでき、屋根面上に滞留する雨水に対しての防水性能を向上させることができる。
【００３１】
（５）また、屋根面が低いことにより、この屋根面とペントハウス４内の床面４Ａとの段差を小さくできるから、立上部４４をまたいでの上り下りが生じず、立上部４４をまたぐだけでペントハウス４と陸屋根３との往来を容易にできる。
【００３２】
（６）スラブ部材２８は、その下面２８Ｂがブラケット２７で支持されているので、スラブ部材２８を矩形状開口部２６内に落とし込むのと同時にブラケット２７で支持でき、落とし込み作業を確実かつ迅速にできる。
【００３３】
（７）スラブ部材２８を有する隣接した陸屋根ユニット２０間には隙間閉塞部材６０が設けられ、この隙間閉塞部材６０は、上下位置を調整可能に設けられた支持部材６１を含んで構成されているので、水勾配を考慮して支持部材６１の高さや傾きを調整すれば、支持部材６１上の面材６２とスラブ部材２８とを面一にでき、不陸のないフラットな屋根面を形成できる。
【００３４】
（８）スラブ部材２８はＡＬＣ製であるから、体積の割に重量を軽くでき、陸屋根ユニット２０全体の軽量化を促進できる。
【００３５】
なお、本発明は、前記実施形態に限定されるものではなく、本発明の目的を達成できる他の構成等を含み、以下に示すような変形等も本発明に含まれる。
例えば、陸屋根３の南側部３Ｂを形成する全ての陸屋根ユニット２０Ａ，２０Ｂでパラペット５が形成されていたが、さらに大きな陸屋根３を形成する場合など、屋根の中央付近を四周のいずれの辺縁にもパラペットが設けられていない陸屋根ユニットを用いてもよい。
【００３６】
反対に、陸屋根ユニット２０Ａのみを用いて狭い南側部３Ｂを形成してもよく、陸屋根ユニット２０Ｂを省略してもよい。このような場合には、陸屋根ユニット２０Ａの上流側にペントハウス４が設けられることになる。
【００３７】
そして、前記実施形態では、陸屋根３上にペントハウス４が設けられていたが、このようなペントハウス４は必要に応じて設けられればよく、無い場合でも本発明に含まれる。このような場合には、陸屋根ユニット２０Ｃによってもパラペット５が形成されるようになる。
【００３８】
その他、下地フレーム２３の構造や、スラブ部材２８の材質等は、本発明の目的を達成できる範囲で任意に変更可能であり、前記実施形態に限定されるものではない。
【００３９】
【発明の効果】
以上に述べたように、本発明によれば、以下の効果がある。
請求項１の発明では、パラペットの高さを低く設定できるうえ、排水構造の複雑化を避けることができるという効果がある。
請求項２の発明では、陸屋根ユニットの軽量化を促進できるという効果がある。
請求項３の発明では、スラブ部材の設置を容易にできるという効果がある。
【００４０】
請求項４の発明では、請求項１の発明と同様に、パラペットの高さを低く設定できるうえ、排水構造の複雑化を避けることができるという効果がある。
請求項５の発明では、不陸のないフラットな屋根面を形成できるという効果がある。
請求項６の発明では、立上部の高さ寸法を大きくして陸屋根とペントハウスとの境界部分での防水性能を向上させることができるとともに、またぎを低くして出入りを容易にできるという効果がある。
【図面の簡単な説明】
【図１】本発明の一実施形態を示す斜視図である。
【図２】図１のII−II線断面図である。
【図３】前記実施形態の一構成部材を示す斜視図である。
【図４】前記実施形態の他の構成部材を示す斜視図である。
【図５】前記実施形態の要部を拡大して示す斜視図である。
【符号の説明】
３  陸屋根
４  ペントハウス
５  パラペット
２０，２０Ａ，２０Ｂ  陸屋根ユニット
２１  枠材である長枠材
２１Ａ  開口部である丸形開口部
２３  フレームである下地フレーム
２３Ａ，２８Ａ  上面
２７  ブラケット
２８  スラブ部材
２８Ｂ  下面
３２  排水桝
４２  外壁
４３  窓用開口であるサッシ窓
４４  立上部
５１Ａ  貫通孔
６１  支持部材
６２  面材
Ｅ  水勾配
Ｈ１，Ｈ２，Ｈ３  高さ寸法
【図１】
0004278269.tif 000002
【図２】
0004278269.tif 000003
【図３】
0004278269.tif 000004
【図４】
0004278269.tif 000005
【図５】
0004278269.tif 000006